(57)【要約】【課題】エアシール経路を設置することが難しい、比較的小型のスピンドルにおいても、加工精度が向上し、且つ、モータの熱損失を低減できるモータビルトイン方式のスピンドル装置を提供する。【解決手段】モータビルトイン方式のスピンドル装置１０において、回転軸１１の前端部側にフリンガー４０を固定して、ハウジングＨとの間でラビリンスシール４４を形成する。ハウジングＨは、後側軸受６０より後方に形成された後方空間４５に、スピンドル装置１０の外部からのエアを流入させる開口孔７１を有する。【選択図】図１
2020069605.tif 000002
【特許請求の範囲】
【請求項１】
回転軸と、
前記回転軸をハウジングに対して回転自在にそれぞれ支持する前側軸受及び後側軸受と、
該前側軸受及び後側軸受との間で前記回転軸と一体回転可能に配置されるロータと、該ロータの周囲に配置されるステータと、を有するモータと、
を備えるモータビルトイン方式のスピンドル装置であって、
前記回転軸の前端部側に固定されて、前記ハウジングとの間にラビリンスシールを形成するフリンガーを備え、
前記ハウジングは、前記後側軸受より後方に形成された後方空間に、前記スピンドル装置の外部からのエアを流入させる開口孔を有する、モータビルトイン方式のスピンドル装置。
【請求項２】
前記ハウジングは、前記モータが配置されるモータ室と、前記後方空間とを連通する連通孔をさらに備える、請求項１に記載のモータビルトイン方式のスピンドル装置。
【請求項３】
前記ハウジングは、前記前側軸受の外輪が内嵌される前側ハウジングと、前記前側ハウジングに固定されて前記外輪を軸方向に位置決めする前側外輪押さえと、を有し、
前記フリンガーは、前記前側ハウジングの外周面又は前記前側外輪押さえの外周面との間にラビリンスシールを形成する円環部を有する、請求項１又は２に記載のモータビルトイン方式のスピンドル装置。
【請求項４】
工作機械主軸用である、請求項１〜３のいずれか１項に記載のモータビルトイン方式のスピンドル装置。
【請求項５】
研削盤主軸用である、請求項１〜３のいずれか１項に記載のモータビルトイン方式のスピンドル装置。
【発明の詳細な説明】
【技術分野】
【０００１】
本発明は、モータビルトイン方式のスピンドル装置に関する。
【背景技術】
【０００２】
工作機械等に適用されるスピンドル装置は、回転軸の先端に刃具を備え、高速回転して被加工物の切削加工や研削加工を行っている。一般的に加工に際しては、刃具および加工部位の潤滑や冷却を目的として、多量の加工液が加工部位に供給される。即ち、加工液の潤滑効果により、被削特性の向上、加工刃先の摩耗抑制、工具寿命の延長などが図られる。また、加工液の冷却効果により、刃具及び被加工物の熱膨張を抑制して、加工精度の向上や、加工部位の熱溶着を防止して加工効率の向上や加工面の表面性状の向上が図られる。
【０００３】
しかしながら、スピンドル装置と加工部位との距離が近いこともあり、加工液がスピンドル装置の前面にも多量にかかることで問題が発生する場合がある。即ち、多量に供給される加工液が回転軸を支持する軸受内部に浸入することがあり、加工液が軸受内部に浸入した場合、軸受の潤滑不良や焼付きなどの原因となる。そのためスピンドル装置の防水性を高め、軸受内部への加工液浸入を防止する目的で様々な防水機構が、スピンドル装置に適用される。
【０００４】
特に、工作機械に使用されるスピンドル装置では、軸受のｄｍｎ値が４０万以上（より好ましくは５０万以上）で使用される場合、スピンドル装置の前端部（工具側）に、回転軸と一体回転するフリンガーと呼ばれる非接触の防水機構が適用されることが多い。フリンガーは、当該フリンガーとハウジングとの間のすきまを狭くして、所謂ラビリンスシールを構成して防水性の向上を図るものである。これは、オイルシールやＶシールなどの接触シールでは、高速回転時にシール接触部からの発熱が大きく、シール部材が摩耗して防水性能を長期間にわたって維持することが難しいためである。また、ラビリンスシール近傍から強制的にエアを吐出させて、エアシール効果により加工液の軸受内部への浸入を防止している。
【０００５】
また、近年の工作機械用主軸においては、加工効率を向上させるために主軸回転数の高速化が進んできており、それに伴い、モータビルトイン方式のスピンドル装置が採用されてきている。例えば、特許文献１には、フリンガーを備えるモータビルトイン構造のスピンドル装置が開示されている。
【０００６】
図８は、フリンガーを備える従来のモータビルトイン構造のスピンドル装置の一例を示す断面図である。このスピンドル装置１００は、スピンドル装置１００の内部にモータ１０１を有し、このモータ１０１を駆動させて回転軸１０２を回転させる。また、フリンガー１０５は、スピンドル装置１００の前端部に、回転軸１０２と一体回転するように固定され、ハウジング１０３の前側外輪押さえ１０７との間にラビリンスシール部１０８を形成している。これにより、フリンガー１０５は、回転軸１０２とともに高速で一体回転するため、上記のラビリンス効果とともに、フリンガー１０５にかかる加工液を遠心力で径方向外方に振り飛ばして、スピンドル装置１００の内部、特に、前側軸受１０９の内部への加工液の浸入を抑制する効果も有している。また、ハウジング１０３に穿孔されたエアシール経路１１１の一端１１１ａをラビリンスシール部１０８に開口すると共に、該エアシール経路１１１の他端１１１ｂからエアを強制的に供給してラビリンスシール部１０８へ吐出させることで、エアシール効果を得ている。
【先行技術文献】
【特許文献】
【０００７】
【特許文献１】特開２０１６−２６９００号公報
【発明の概要】
【発明が解決しようとする課題】
【０００８】
ところで、スピンドル装置は、高速回転に伴い、小型化が求められている。しかしながら、小型のスピンドル装置１００では、図８に示すようなエアシール経路１１１をハウジング１０３に設けることが困難である。また、０．０５ＭＰａ以上の強制的なエアを噴出するための設備も必要となり、近年要求されている省エネルギー化も満足することが難しい。
【０００９】
また、小型化により、スピンドル装置１００内部の空間容積が小さくなるため、前側及び後側軸受１０９、１１０やモータ１０１から発生する熱で、スピンドル装置１００内部の温度が高くなりやすい。高温の空気は、潤滑オイルの粘度低下、グリースの固化等によりスピンドル装置１００の寿命を低下させる可能性がある上、スピンドル装置１００の熱膨張による加工精度の不安定化や、モータ１０１の熱損失による出力の低下が懸念される。モータ１０１の熱損失を低減するため、一般的には、スピンドル装置１００の外径側を油または水で冷却する方式が採用されているが、スピンドル装置１００の内部空気が熱い場合は、外径からの冷却だけでは十分に冷却できない虞がある。
【００１０】
本発明は、前述した課題に鑑みてなされたものであり、その目的は、エアシール経路を設置することが難しい、比較的小型のスピンドルにおいても、加工精度が向上し、且つ、モータの熱損失を低減できるモータビルトイン方式のスピンドル装置を提供することにある。
【課題を解決するための手段】
【００１１】
本発明の上記目的は、下記の構成により達成される。
（１）  回転軸と、
前記回転軸をハウジングに対して回転自在にそれぞれ支持する前側軸受及び後側軸受と、
該前側軸受及び後側軸受との間で前記回転軸と一体回転可能に配置されるロータと、該ロータの周囲に配置されるステータと、を有するモータと、
を備えるモータビルトイン方式のスピンドル装置であって、
前記回転軸の前端部側に固定されて、前記ハウジングとの間にラビリンスシールを形成するフリンガーを備え、
前記ハウジングは、前記後側軸受より後方に形成された後方空間に、前記スピンドル装置の外部からのエアを流入させる開口孔を有する、モータビルトイン方式のスピンドル装置。
【発明の効果】
【００１２】
本発明のモータビルトイン方式のスピンドル装置によれば、後側軸受より後方の後方空間に、スピンドル装置の外部からスピンドル装置の内部よりも低い温度の外部エアを流入させて、フリンガーとハウジングとの間のラビリンスシールから吐出させる空気循環を形成して、スピンドル装置の内部の温度を低下させることで、スピンドル装置の寿命を向上させと共に、加工精度の安定化や、モータの熱損失を低減させる。さらに、エアシール経路を設置することが難しい、比較的小型のスピンドル装置においても、専用のエアシール経路やエア供給装置を必要としない空気循環を形成することができ、安価で信頼性の高いスピンドル装置が得られる。
【図面の簡単な説明】
【００１３】
【図１】本発明の第１実施形態に係るモータビルトイン方式のスピンドル装置の断面図である。
【図２】第１実施形態の第１変形例に係るモータビルトイン方式のスピンドル装置の断面図である。
【図３】第１実施形態の第２変形例に係るモータビルトイン方式のスピンドル装置の断面図である。
【図４】第１実施形態の第３変形例に係るモータビルトイン方式のスピンドル装置の断面図である。
【図５】本発明の第２実施形態に係るモータビルトイン方式のスピンドル装置の断面図である。
【図６】本発明の第２実施形態の第１変形例に係るモータビルトイン方式のスピンドル装置の断面図である。
【図７】本発明の第２実施形態の第２変形例に係るモータビルトイン方式のスピンドル装置の断面図である。
【図８】従来のスピンドル装置の断面図である。
【発明を実施するための形態】
【００１４】
以下、本発明に係るモータビルトイン方式のスピンドル装置の各実施形態を図面に基づいて詳細に説明する。なお、以下の説明においては、回転軸の工具が取り付けられる側（工具側）を前側、工具側と反対側を後側とも言う。
【００１５】
（第１実施形態）
図１は本発明の第１実施形態のモータビルトイン方式のスピンドル装置の断面図である。
図１に示すように、工作機械主軸用のモータビルトイン方式のスピンドル装置１０（以下、単に「スピンドル装置１０」とも言う）では、回転軸１１が、その工具側（図1において左側）に配置される２列の前側軸受５０，５０と、反工具側（図1において右側）に配置される２列の後側軸受６０，６０とによって、ハウジングＨに回転自在に支持されている。ハウジングＨは、工具側から順に、前側ハウジング１２、外筒１３、後側ハウジング１４、及び後蓋１５によって主に構成されており、不図示のボルトによってそれぞれ締結固定されている。
【００１６】
各前側軸受５０は、外輪５１と、内輪５２と、接触角を持って配置される転動体としての玉５３と、図示しない保持器と、をそれぞれ有するアンギュラ玉軸受であり、各後側軸受６０は、外輪６１と、内輪６２と、接触角を持って配置される転動体としての玉６３と、図示しない保持器と、を有するアンギュラ玉軸受である。前側軸受５０，５０（並列組合せ）と後側軸受６０，６０（並列組合せ）とは、互いに協働して背面組み合わせとなるように配置されている。
【００１７】
前側軸受５０，５０の外輪５１，５１は、前側ハウジング１２に内嵌されており、また、前側ハウジング１２に形成された雌ねじ２７に螺合固定された前側外輪押さえ１６によって、外輪間座５４を介して前側ハウジング１２に対し軸方向に位置決め固定されている。なお、雌ねじ２７は、前側ハウジング１２の外輪５１、５１が内嵌される部分の前端面１２ａから前方に突出して、後述するフリンガー４０と対向する前側筒部１２ｂの内周面に形成されている。
【００１８】
また、前側軸受５０，５０の内輪５２，５２は、回転軸１１に外嵌されており、回転軸１１に締結されたナット１７によって、後述するフリンガー４０及び内輪間座５５を介して回転軸１１に対し軸方向に位置決め固定されている。
【００１９】
後側軸受６０，６０の外輪６１，６１は、後側ハウジング１４に対して軸方向に摺動自在に内嵌するスリーブ１８に内嵌すると共に、このスリーブ１８に不図示のボルトで一体的に固定された後側外輪押さえ１９によって、外輪間座６４を介してスリーブ１８に対し軸方向に位置決め固定されている。
【００２０】
後側軸受６０，６０の内輪６２，６２は、回転軸１１に外嵌されており、また、回転軸１１に締結された他のナット２１によって、内輪間座６５、６５を介して回転軸１１に対し軸方向に位置決め固定されている。後側ハウジング１４と後側外輪押さえ１９との間にはコイルばね２３が配設され、このコイルばね２３のばね力が、後側外輪押さえ１９をスリーブ１８と共に後方に押圧する。これにより、前側軸受５０、５０及び後側軸受６０，６０に予圧が付与される。
【００２１】
回転軸１１の工具側には、軸中心を通り軸方向に形成された不図示の工具取付孔及び雌ねじが設けられている。工具取付孔及び雌ねじは、刃具などの不図示の工具を回転軸１１に取付けるために使用される。なお、工具取付孔及び雌ねじの代わりに、回転軸１１の軸芯に従来公知のドローバー（図示せず）を摺動自在に挿嵌するようにしてもよい。ドローバーは、いずれも不図示の工具ホルダを固定するコレット部を備え、皿ばねの力によって反工具側方向に付勢する。
【００２２】
回転軸１１の前側軸受５０，５０と後側軸受６０，６０間の軸方向略中央には、回転軸１１と一体回転可能に配置されるロータ３１と、ロータ３１の周囲に配置されるステータ３２とを備えるモータ３０が配設されている。ステータ３２は、ステータ３２に焼き嵌めされた冷却ジャケット３３を、ハウジングＨを構成する外筒１３に内嵌することで、外筒１３に固定される。
【００２３】
ステータ３２のコイルに接続されてステータ３２に電力を供給する電線３５は、後側ハウジング１４、及び後蓋１５に設けられた配索孔３６ａ、３６ｂに挿通されて外部電源に接続されている。モータ３０は、電線３５を介してステータ３２に電力を供給することでロータ３１に回転力を発生させて回転軸１１を回転させる。モータ３０は、回転軸１１の周囲で、前側ハウジング１２、外筒１３、後側ハウジング１４及びスリーブ１８によって囲まれた空間であるモータ室３４内に収容されている。
【００２４】
後蓋１５は、後端部に形成された開口部分１５ａを塞ぐ開口カバー２８を有し、回転軸１１の後方には、主に、後側ハウジング１４、後蓋１５、及びスリーブ１８で形成された後方空間４５が設けられている。開口カバー２８には、後方空間４５とスピンドル装置１０の外部とを接続する開口孔７１が形成されている。開口孔７１は、スピンドル装置１０の外部からのエアを流入させるための孔である。
【００２５】
フリンガー４０は、上述したように、前側軸受５０，５０より工具側（図中左側）で、回転軸１１の前端部側に外嵌し、ナット１７で内輪５２，５２と共に回転軸１１に固定されている。
【００２６】
フリンガー４０は、回転軸１１に外嵌されるボス部４１と、ボス部４１から径方向外方に延設された円盤部４２と、該円盤部４２の外周部から後方に向かってリング状に延設された円環部４３と、を有する。
【００２７】
円盤部４２の軸方向内側面は、前側ハウジング１２、及び前側外輪押さえ１６の前端面と、僅かな軸方向隙間、例えば０．５ｍｍ程度の隙間を介して軸方向に対向配置され、円環部４３の内周面が、前側ハウジング１２の外周面と、僅かな径方向隙間、例えば０．５ｍｍ程度の隙間を介して径方向に対向配置される。これにより、フリンガー４０は、前側ハウジング１２及び前側外輪押さえ１６との間で、所謂ラビリンスシール４４を構成する。
【００２８】
上記により、前側ハウジング１２の外周部には、フリンガー４０によってエアカーテンが形成され、被加工物を加工する際、スピンドル装置１０に降りかかる加工液が前側軸受５０，５０側に入ることを抑制するための防水機構を構成する。また、ラビリンスシール４４に加工液や粉塵が侵入したとしても、フリンガー４０の遠心力による振り切り効果で、円環部４３から外部に排出することができ、回転軸１１の内部に加工液や粉塵が侵入するのを防止することができる。
【００２９】
ところで、このようなスピンドル装置１０では、モータ駆動時に発生する種々の損失によりモータ３０において熱エネルギーが発生する。また、回転軸１１が高速回転することで、前側軸受５０及び後側軸受６０の温度も上昇する。この熱エネルギーによって、ハウジングＨの内部では、特に、モータ３０が収容されるモータ室３４の空気が加熱されて高温の空気となる。さらに、スピンドル装置１０は、外部から空気や水分、ゴミ等が極力入り込まないように設計されるのが一般的なため、回転軸１１の前部に設けられたラビリンスシール４４を除いては、スピンドル装置１０の内部空間が外部と繋がるような穴等が開いていないことが多い。そのため、上記の高温空気によりスピンドル装置１０の内部空間（特に、モータ室３４）は、外部に比べて圧力が高くなる。
【００３０】
一方、フリンガー４０の近傍は、回転軸１１の回転中に最も周速が速くなる部分であり、フリンガー４０近傍の空気はフリンガー４０の回転に連れ回る。ベルヌーイの定理によると、流体の速度が増加するとその圧力は低下する。すなわち、スピンドル装置１０中で最も周速の速いフリンガー４０の回転に連れ回る空気は、スピンドル装置１０の近傍の空気中で最も速度が高くなるため、その圧力も最も低くなる。
【００３１】
上記のように、モータ３０で発生した熱エネルギーによりモータ室３４内の空気の圧力が高くなる一方、フリンガー４０の回転によりフリンガー４０近傍の空気の圧力が低くなることで、スピンドル装置１０の内部においては、モータ室３４からスピンドル装置１０の前面方向（フリンガー４０に向かう方向）に空気が流れる現象が発生する。
【００３２】
また、この場合、スピンドル装置１０の内部空間とラビリンスシール４４とをつなぐ空間の途中には前側軸受５０が位置しているため、回転軸１１の回転中にモータ室３４の高温空気が前側軸受５０内の隙間を通過する。この高温空気の通過、つまり、高温の空気が前側軸受５０内部を通過することにより軸受５０の内部温度が上昇して、軸受５０の使用環境が苛酷なものとなる。特に、最高回転数での使用頻度が多い高速回転主軸などにおいては、軸受内部の昇温による潤滑剤の熱的劣化や粘度低下による潤滑剤の流出が進展し易く、潤滑寿命が短くなるので、軸受の早期損傷につながる可能性があった。
【００３３】
しかしながら、本実施形態では、開口カバー２８には、後方空間４５とスピンドル装置１０の外部と接続する開口孔７１が形成されるため、フリンガー４０近傍の空気の圧力が低くなる。これにより、スピンドル装置１０には、矢印Ａで示すように、開口孔７１、後側軸受６０，６０、モータ室３４、前側軸受５０，５０、ラビリンスシール４４を通る空気流路が形成されて、開口孔７１から導入された外部の空気（スピンドル内部より低い温度の空気）がスピンドル装置１０の後方から前方に向かって流れるので、上述の熱的劣化の不具合を解消することができる。
なお、電線３５が挿通される、後側ハウジング１４の配索孔３６ａを介して、開口孔７１から導入された外部の空気がモータ室３４に流通してもよい。
【００３４】
また、本実施形態のフリンガー４０は、円環部４３が前側ハウジング１２の外周面を覆うように形成されており、図８に示す従来のスピンドル装置１００のフリンガー１０５より大きい直径を有している。このため、円環部４３の周速が大きく、フリンガー４０近傍の圧力も従来のフリンガー１０５近傍の圧力より低くなって、多くの空気がスピンドル装置１０内を後方から前方に向かって流れる。また、これにより、フリンガー１０５近傍に形成されるエアカーテンによりエアシール効果が得られる。
【００３５】
即ち、スピンドル装置１０の外部からスピンドル装置１０の内部よりも低い温度の外部エアを流入させてラビリンスシール４４から吐出させることで、前側軸受５０を含むスピンドル装置１０の内部（特に、モータ室３４）を冷却することができる。この結果、前側軸受５０の異常温度上昇を抑制して前側軸受５０の早期損傷を抑制すると共に、温度上昇に伴う加工精度の不安定化を抑制し、モータの熱損失を低減させることができる。
【００３６】
また、スピンドル装置１０内を後方から前方に向かう空気の流れは、フリンガー４０の回転によりラビリンスシール４４に発生する圧力低下によって生じるので、エアを強制的に送るためのエア供給装置を必要とせず、省エネルギであると共に構造が簡素化される。さらに、エアシール経路を設置することが難しい、比較的小型のスピンドル装置においても、空気循環を形成することができ、安価に信頼性の高いスピンドル装置が得られる。
【００３７】
なお、本実施形態の第１変形例として、図２に示すように、開口カバー２８には、管用テーパねじタップや、メートルねじタップなどの雌ねじ７２によって開口孔が形成されてもよい。
また、本実施形態の第２変形例として、図３に示すように、この雌ねじ７２には、サイレンサなどのフィルタ部材７３が取り付けられて、スピンドル装置１０内にゴミやミストなどの異物の侵入が防止されてもよい。
【００３８】
さらに、本実施形態の第３変形例では、図４に示すように、この雌ねじ７２に、工作機械の外部のエアを取り込むように樹脂製チューブ７４が接続されて、スピンドル装置１０内にゴミやミストなどの異物の侵入が防止されてもよい。
【００３９】
（第２実施形態）
次に、スピンドル装置の第２実施形態について図５を参照して説明する。図５に示すように、本実施形態のスピンドル装置１０Ａは、第１実施形態のスピンドル装置１０の構成に加えて、後側ハウジング１４に、モータ室３４と後方空間４５とを連通する連通孔２４が設けられている。したがって、フリンガー４０の回転によりラビリンスシール４４に発生する圧力低下によって、より多くの外部エアをモータ室３４に供給することができ、効率的にモータ室３４を冷却できる。
なお、本実施形態、及び図６及び図７に示す変形例では、図示しない位相に、後側ハウジング１４と後側外輪押さえ１９との間のコイルばね２３が配設されている。
その他の構成及び作用については、本発明の第１実施形態と同様である。
【００４０】
また、モータ室３４内の高温空気は、上方になるほど温度が高い空気が滞留する。このため、回転軸１１が水平状態で使用されるスピンドル装置１０の場合、連通孔２４をモータ室３４の上方部分に接続することで、モータ室３４内の高温空気を外部エアにより効率よく冷却することが好ましい。
なお、連通孔２４は、円周方向に複数形成されてもよい。
【００４１】
なお、本実施形態の第１変形例として、図６に示すように、後側ハウジング１４に形成される連通孔２４の代わりに、スリーブ１８及び後側外輪押さえ１９に、モータ室３４と後方空間４５とを連通する連通孔２５，２６が設けられてもよい。この場合も、フリンガー４０の回転によりラビリンスシール４４に発生する圧力低下によって、より多くの外部エアをモータ室３４に供給することができ、効率的にモータ室３４を冷却できる。
【００４２】
また、本実施形態の第２変形例として、図７に示すように、後側ハウジング１４にモータ室３４と後方空間４５とを連通する連通孔２４が設けられると共に、スリーブ１８及び後側外輪押さえ１９にモータ室３４と後方空間４５とを連通する連通孔２５，２６が設けられてもよい。
【実施例】
【００４３】
以下、本発明の効果を確認するため、実施例として図１に示すスピンドル装置と、比較例として、開口カバー２８に開口孔７１を備えない点以外は、実施例と同一構成のスピンドル装置例とを用いて、試験を行った。
【００４４】
（評価方法）
評価方法としては、研削液をフリンガー４０とハウジングＨとのすきまに直接振り掛けて、スピンドル装置１０の内部への研削液の浸入の有無を確認した。フリンガー４０とハウジングＨとのすきまに振り掛ける研削液の量は、３Ｌ／ｍｉｎ、５Ｌ／ｍｉｎ、１０Ｌ／ｍｉｎの３種類とした。実施例と比較例の結果を比較して表１に示す。ラビリンスシール及び軸受内に研削液が浸入した場合を×とし、ラビリンスシール及び軸受内に研削液が浸入しない場合を〇としている。
【００４５】
【表１】
2020069605.tif 000003
【００４６】
表１から分かるように、比較例のスピンドル装置では、ラビリンスシールにかける研削液の量が３Ｌ/ｍｉｎでも、ラビリンスシール及び軸受内に研削液が浸入したが、実施例のスピンドル装置では、１０Ｌ/ｍｉｎの研削液を振り掛けてもラビリンスシール及び軸受内への研削液の浸入は認められなかった。従って、本発明の有効性が実証された。
【００４７】
尚、本発明は、前述した各実施形態及び変形例に限定されるものではなく、適宜、変形、改良、等が可能である。
例えば、本発明のモータビルトイン方式のスピンドル装置は、研削盤主軸用としても好適に使用できる。
【００４８】
以上の通り、本明細書には次の事項が開示されている。
（１）  回転軸と、
前記回転軸をハウジングに対して回転自在にそれぞれ支持する前側軸受及び後側軸受と、
該前側軸受及び後側軸受との間で前記回転軸と一体回転可能に配置されるロータと、該ロータの周囲に配置されるステータと、を有するモータと、
を備えるモータビルトイン方式のスピンドル装置であって、
前記回転軸の前端部側に固定されて、前記ハウジングとの間にラビリンスシールを形成するフリンガーを備え、
前記ハウジングは、前記後側軸受より後方に形成された後方空間に、前記スピンドル装置の外部からのエアを流入させる開口孔を有する、モータビルトイン方式のスピンドル装置。
この構成によれば、後側軸受より後方の後方空間に、スピンドル装置の外部からスピンドル装置の内部よりも低い温度の外部エアを流入させてラビリンスシールから吐出させる空気循環を形成することができ、スピンドル装置の内部の温度を低下させて、スピンドル装置の寿命を向上させることができる。また、これにより、加工精度の安定化や、モータの熱損失を低減させることができる。さらに、エアシール経路を設置することが難しい、比較的小型のスピンドル装置においても、専用のエアシール経路やエア供給装置を必要としない空気循環を形成することができ、安価に信頼性の高いスピンドル装置が得られる。
【００４９】
（２）  前記ハウジングは、前記モータが配置されるモータ室と、前記後方空間とを連通する連通孔をさらに備える、（１）に記載のモータビルトイン方式のスピンドル装置。
この構成によれば、スピンドル装置の外部から流入する温度の低い外部エアを積極的にモータ室に供給することができ、モータ室の温度を効果的に低下させることができる。
【００５０】
（３）  前記ハウジングは、前記前側軸受の外輪が内嵌される前側ハウジングと、前記前側ハウジングに固定されて前記外輪を軸方向に位置決めする前側外輪押さえと、を有し、
前記フリンガーは、前記前側ハウジングの外周面又は前記前側外輪押さえの外周面との間にラビリンスシールを形成する円環部を有する、（１）又は（２）に記載のモータビルトイン方式のスピンドル装置。
この構成によれば、フリンガーの外径を大きくすることでフリンガー近傍の圧力をより低下させて、多量の外部エアをスピンドル装置の内部に循環させることができる。またこれによって、スピンドル装置の内部温度を低下させることができる。
【００５１】
（４）  工作機械主軸用である、（１）〜（３）のいずれかに記載のモータビルトイン方式のスピンドル装置。
この構成によれば、工作機械主軸用として好適に使用できる。
【００５２】
（５）  研削盤主軸用である、（１）〜（３）のいずれかに記載のモータビルトイン方式のスピンドル装置。
この構成によれば、研削盤主軸用として好適に使用できる。
【符号の説明】
【００５３】
１０，１０Ａ        モータビルトイン方式のスピンドル装置
１１    回転軸
１２    前側ハウジング
１６    前側外輪押さえ
２４，２５，２６    連通孔
３０    モータ
３１    ロータ
３２    ステータ
３４    モータ室
４０    フリンガー
４１    ボス部
４２    円盤部
４３    円環部
４４    ラビリンスシール
４５    後方空間
５０    前側軸受
５１    外輪
５２    内輪
５３    玉
６０    後側軸受
６１    外輪
６２    内輪
６３    玉
７１    開口孔
Ｈ      ハウジング
【図１】
2020069605.tif 000004
【図２】
2020069605.tif 000005
【図３】
2020069605.tif 000006
【図４】
2020069605.tif 000007
【図５】
2020069605.tif 000008
【図６】
2020069605.tif 000009
【図７】
2020069605.tif 000010
【図８】
2020069605.tif 000011